(57)【要約】      （修正有）【課題】口紅類収納容器のキャップ着脱時のキャップ脱落の不具合、及び着脱の不便、更には両手操作の不便さを解消する繰出容器開閉装置を提供する。【解決手段】嵌合体一１及び嵌合体二１７のそれぞれは上下方向に嵌合保持し周方向において互いに逆方向に回転自在で、筒体内部には回転に連動して上下移動するスライド体一Ａを有し該スライド体一Ａは口紅類等を嵌合保持し、スライド体一Ａの上方にロッド７、８を設け嵌合体一Ａの内部上方には回動自在なシャッター５、６を設け該シャッター５、６と前記ロッド７、８が連動し該シャッター５．６は戻しバネ４ａ、４ｂにより弾発付勢され通常は先端開口を閉塞していて、スライド体一Ａが上昇するとロッド下端７ｂとスライド体一Ａの上端が当接し戻しバネ４ａ、４ｂの弾発に対抗してシャッター５、６が開き口紅類の突出繰出し調整できる。【選択図】図１
2012228496.tif 000002
【特許請求の範囲】
【請求項１】
筒体の外周面が上部と下部に分かれ、それぞれを摘み代として相対回転させることで口紅類等の被使用物が前記筒体の先端開口より出没及び繰出し繰戻し自在に構成される繰出容器開閉装置において、筒体の上部を嵌合体一、筒体の下部を嵌合体二とし、嵌合体一及び嵌合体二のそれぞれは上下方向に嵌合保持し周方向において互いに逆方向に回転自在で、筒体内部には回転に連動して上下移動するスライド体一を設け該スライド体一は口紅類等を嵌合保持し、スライド体一の上方にロッドを設け嵌合体一の先端に開口部が有り該開口部の直下には回動自在なシャッターを設け該シャッターと前記ロッドが連動し該シャッターは戻しバネにより弾発付勢され通常は先端開口部を閉塞していて、スライド体一が上昇するとロッド下端とスライド体一の上端が当接し戻しバネの弾発に対抗してシャッターが開き口紅類の突出繰出し調整できることを特徴とする繰出容器開閉装置。
【請求項２】
筒体の外周面は単筒体で該単筒体側部に調整体を設け該調整体のアジャスターを操作することで口紅類等の被使用物が前記単筒体の先端開口より出没及び繰出し繰戻し自在に構成される繰出容器開閉装置において、アジャスターは上下方向に回動自在で該アジャスターに連動して単筒体内を上下移動するスライド体二を設け該スライド体二は口紅類等を嵌合保持し、スライド体二の上方にロッドを設け単筒体の先端に開口部が有り該開口部の直下には回動自在なシャッターを設け該シャッターと前記ロッドが連動し該シャッターは戻しバネにより弾発付勢され通常は先端開口部を閉塞していて、スライド体二が上昇するとロッド下端とスライド体二の上端が当接し戻しバネの弾発に対抗してシャッターが開き口紅類の突出繰出し調整できることを特徴とする繰出容器開閉装置。
【請求項３】
請求項１の嵌合体一の外周側面が摘み代で該嵌合体一の下端に嵌合部一を有し、嵌合体一の内側には前記スライド体一を上下移動するため一対の対向した切欠状のガイド溝が上下間に設けられ、又嵌合体一の内側面には請求項１のロッドを保持するための一対の対向した切欠状の嵌合溝が上下間に設けられ、嵌合体一の先端は請求項１の口紅類等が出没する開口部を有し該開口部の内側面は球面形状を成し、軸心に直交する直線と交わる嵌合体一の上部側面には請求項１のシャッターの回転を支持する一対の対向した支軸穴を設けていることを特徴とする請求項１記載の繰出容器開閉装置。
【請求項４】
請求項１の嵌合体二が外筒一と該外筒一の内側にガイド筒を設けた同心円筒の二重筒で各筒の下方は平坦な底部で繋がっていて外筒一の長さはガイド筒の長さに対し３分の１程で上部内側にフランジ状の嵌合部二があり該嵌合部二は請求項３の嵌合部一と嵌合し、外筒一の外周は摘み代になっていて、前記ガイド筒は上下間に一対の螺旋孔を有し、一対の該螺旋孔はガイド筒の円周上に於いて対向していて同形状を成していることを特徴とする請求項１記載の繰出容器開閉装置。
【請求項５】
請求項２の単筒体が外筒二と該外筒二の内側にガイド筒を設けた同心円筒の二重筒で各筒の下方は平坦な底部で繋がっていて前記外筒二の中央側面に請求項２の調整体を設けるための刳抜き穴を有し、外筒二の内側には請求項２のロッドを保持するための一対の対向した切欠状の嵌合溝が上下間に設けられ、外筒二の先端は請求項２の口紅類等が出没する開口部になっていて該開口部の内側面は球面形部を有し、軸心に直交する直線と交わる外筒二の上部側面には請求項２のシャッターの回転を支持する一対の対向した支軸穴を設けていて、前記ガイド筒は上下間に一対の螺旋孔を有し、該一対の螺旋孔はガイド筒の円周上に於いて対向していて同形状を成していることを特徴とする請求項２記載の繰出容器開閉装置。
【請求項６】
請求項２の調整体が刳抜き穴の上下に亘る左右間に受軸或は受板を設け該受軸或は受板の外周面を上下周方に巻付く輪ベルト状のアジャスターで構成され該アジャスターの内周面は滑らかで該受軸或は受板の外周面に摺動しアジャスターの表面ははす歯状の駆動歯を有し上下回動自在な柔軟且つ摺動摩擦抵抗が小さいことを特徴とする請求項２記載の繰出容器開閉装置。
【請求項７】
請求項１及び請求項２のシャッターが一対の同形状を成す分割球体で一対の双方が対向していて、該シャッターは分割球の分断面の交線が中空球の直径に等しく前記交線の両端のそれぞれを中心とする交線に垂直な円の球面と前記分割球の面と交わる分割球の双方の端が円弧球面で繋がる分割球面を有する分割球体で、分割球の直径は前記円の直径の３倍程になっていて、前記分割球体の一端の円弧周側面にピ二オン部を設け該円弧の中心に円弧面に垂直な嵌合穴を設け、分割球体の他の一端の円弧の中心に円弧面に垂直な支軸を設け該支軸を有する双方の端面側を球心方向に撓ませたシャッター形状で、シャッター双方の支軸が内側から双方の嵌合穴に嵌り更に双方の支軸が請求項３嵌合体一或は請求項５単筒体の双方の支軸穴に嵌合してシャッターは回動自在でシャッターの球面部は常に請求項３嵌合体一或は請求項５単筒体の開口部の内側摺面に摺動し、シャッターの前記分断面の一端面双方が閉合する閉合面を有することを特徴とする請求項１及び請求項２記載の繰出容器開閉装置。
【請求項８】
請求項１及び請求項２の戻しバネが一対の同形状の渦巻き形状で、請求項７のシャッターの嵌合穴を戻しバネの中心として双方の戻しバネの一端が双方のシャッター面に嵌合係止され双方の戻しバネの他の一端が請求項３の嵌合体一内側面或は請求項５の外筒二内側面の双方支軸穴に接近した位置に嵌合係止され双方のシャッターは支軸を支点として戻しバネに弾発付勢されて双方のシャッターは上方に回動してシャッター前面の閉合面が互いに閉合し、又シャッターの外周面が開口部内側面に摺動して双方のシャッターが嵌合体一或は外筒二の開口部を開閉することを特徴とする請求項１及び請求項２記載の繰出容器開閉装置。
【請求項９】
請求項１のスライド体一が請求項４嵌合体二のガイド筒の内側に円筒状のホルダーが挿入され外側には円筒状のスリーブが挿入され前記ホルダーと前記スリーブは同心円筒で、ガイド筒の軸心に直交する直線上でホルダーの外周面とスリーブの内周面を連結するスライド軸があり該スライド軸はガイド筒の螺旋孔を貫通していて前記スライド軸の外延長上のスリーブ外周面の双方に突出したスライドピンを有していて該スライドピンは請求項３嵌合体一のガイド溝に嵌り該嵌合体一及び嵌合体二の相対回転によりスライド体一が上下移動してホルダーに嵌合保持する請求項１の口紅類等の被使用物が繰出し繰戻しされることを特徴とする請求項１記載の繰出容器開閉装置。
【請求項１０】
請求項２のスライド体二が請求項５単筒体のガイド筒の内側に円筒状のホルダーが挿入され外側には円筒状のスリーブが挿入され前記ホルダーと前記スリーブは同心円筒で、ガイド筒の軸心に直交する直線上でホルダーの外周面とスリーブの内周面を連結するスライド軸があって、該スライド軸はガイド筒の螺旋孔を貫通していて、スリーブの外周面にはすば歯状の受動歯を設けていて該受動歯は請求項６調整体のアジャスターの駆動歯と噛合っていてアジャスターの上下回動によりスライド体二は上下移動してホルダーに嵌合保持する請求項２の口紅類等の被使用物が繰出し繰戻しされることを特徴とする請求項２記載の繰出容器開閉装置。
【請求項１１】
請求項１及び請求項２のロッドが一対の対向する上下に長い角棒状で該ロッドの上部側方にラック部を設け請求項３の嵌合体一或は請求項５の外筒二の嵌合溝に該ロッドの上半分が嵌り該ラック部と請求項７のシャッターのピ二オン部が噛合っていて請求項８の戻しバネの弾発によりロッドは下方に付勢され請求項９の前記スライド体一或は請求項１０のスライド体二の上昇によりスリーブ上端がロッド下端に当接してロッドは上昇し戻しバネの弾発に対抗してシャッターが開きロッド下端が嵌合溝の下端まで上昇するとロッド下端はスリーブ上端から外れてロッドは完全に嵌合溝に嵌りロッドの内側面はスリーブの外周面に接してロッド下端は嵌合溝の下端に付勢係止されてシャッターは開放状態を保持することを特徴とする請求項１及び請求項２記載の繰出容器開閉装置。
【発明の詳細な説明】
【技術分野】
【０００１】  本発明は口紅類収納容器等の繰出容器開閉装置に関するもので、キャップの抜差しに替ってシャッターが自動開閉すると共に例えば口紅類等の被使用物を出没自在に繰出し繰戻し調整することが可能で、更には片手指だけで容易にシャッターが自動開閉すると共に口紅類等を出没自在に繰出し繰戻し調整できる便利な繰出容器開閉装置に関するものである。
【背景技術】
【０００２】  従来、口紅類収納容器等の使用操作は口紅類収納容器本体に着脱自在に嵌合するキャップを取外した後に筒状の口紅類収納容器本体が上部と下部に分かれた嵌合体の両部それぞれを摘んで周方向に互い違いに相対回転させることで口紅類収納容器の上端開口から出没する口紅類等の突出量を繰出調整して使用する。使用後は口紅類収納容器本体の上部と下部をそれぞれ摘んで突出時と逆方向に相対回転させて口紅類収納容器の上端口から口紅類を没入収納させてからキャップを取付ける。
上記キャップ着脱の不便さを解消するための考案が特開２０１０−１７８９１７に掲載されている、該掲載の考案は繰出容器開閉装置で容器の上下それぞれを摘んで相対回転させることで、はすば歯車に連動するラックの上部に付設した蓋の上下移動に対し被使用物が上下逆移動する共に口紅類等の出没する開孔部を蓋部で開閉する機構になっている。
【発明の概要】
【発明が解決しようとする課題】
【０００３】  口紅類収納容器のキャップ着脱の際にキャップが脱落してしまう不具合があり又キャップ着脱の手間もかかる、更に口紅類収納容器本体から口紅等の出没は口紅類収納容器本体の上部と下部をそれぞれ掴む両手操作である為に不便さがある、本発明はこれらの不具合を解決することにある。【０００４】  前記掲載の考案で相対回転に対し蓋の上下移動量は被使用物の移動量よりかなり大きいことが望ましく、このことは被使用物の収納状態から繰出しするときに蓋に被使用物が極接近した位置から繰出されることで被使用物の無効ストローク空間をなくし、結果として定容量容器に対する被使用物量を大きくできる。又被使用物の出没タイムラグが小さく扱い易いこともある。
更に前記掲載の考案で蓋の材質によるが被使用物が出没する開孔部の内側面に蓋が折り曲がって接触しながら移動するために摺動抵抗が大きくなり結果として容器を掴んで相対回転させる為により大きな力を要することになる。
更に上記摺動抵抗が大きいために上記開口部の形状は斜になって形状的に制約がある。
以上の問題も鑑み解決することにある。
【課題を解決するための手段】
【０００５】  本発明の繰出容器開閉装置は、（１）外装が上下の筒体からなり操作は筒体の上下外周面を掴んで相対回転させシャッターの開閉及び口紅類の繰出し繰戻しする回転調整方式、（２）外装が単筒体の筒体からなり操作は単筒体の中央にあるベルト状のアジャスターを上下送りして口紅類繰出し繰戻しするシフト調整方式がある。【０００６】  筒体の外周面が上部と下部に分かれ、それぞれを摘み代として相対回転させることで口紅類等の被使用物が前記筒体の先端開口より出没及び繰出し繰戻し自在に構成される繰出容器開閉装置において、筒体の上部を嵌合体一、筒体の下部を嵌合体二とし、嵌合体一及び嵌合体二のそれぞれは上下方向に嵌合保持し周方向において互いに逆方向に回転自在で、筒体内部には回転に連動して上下移動するスライド体一を設け該スライド体一は口紅類等を嵌合保持し、スライド体一の上方にロッドを設け嵌合体一の先端に開口部が有り該開口部の直下には回動自在なシャッターを設け該シャッターと前記ロッドが連動しシャッターは戻しバネにより弾発付勢され通常は先端開口部を閉塞していて、スライド体一が上昇するとロッド下端とスライド体一の上端が当接し戻しバネの弾発に対抗してシャッターが開き口紅類の突出繰出し調整できる前記回転調整方式の繰出容器開閉装置である。【０００７】  筒体の外周面は単筒体で該単筒体側部に調整体を設け該調整体のアジャスターを操作することで口紅類等の被使用物が前記単筒体の先端開口より出没及び繰出し繰戻し自在に構成される繰出容器開閉装置において、アジャスターは上下方向に回動自在で該アジャスターに連動して単筒体内を上下移動するスライド体二を有し該スライド体二は口紅類等を嵌合保持し、スライド体二の上方にロッドを設け単筒体の先端に開口部が有り該開口部の直下には回動自在なシャッターを設け該シャッターと前記ロッドが連動しシャッターは戻しバネにより弾発付勢され通常は先端開口部を閉塞していて、スライド体二が上昇するとロッド下端とスライド体二の上端が当接し戻しバネの弾発に対抗してシャッター開放を保持して口紅類の突出繰出し調整できる前記シフト調整方式の繰出容器開閉装置である。【０００８】  前記［０００６］の嵌合体一が外周側面は摘み代になっていて嵌合体一の下端に嵌合部一を有し、嵌合体一の内側には前記スライド体一を上下移動するため一対の対向した切欠状のガイド溝が上下間に設けられ、又嵌合体一の内側には前記［０００６］のロッドを保持するための一対の対向した切欠状の嵌合溝が上下間に設けられ、嵌合体一の先端は前記［０００６］の口紅類等が出没する開口部を有し該開口部の内側面は球面形状を成し、軸心に直交する直線と交わる嵌合体一の上部側面には前記［０００６］のシャッターの回転を支持する一対の対向した支軸穴を設けている前記［０００６］回転調整方式の繰出容器開閉装置である。【０００９】  前記［０００６］の嵌合体二が外筒一と該外筒一の内側にガイド筒を設けた同心円筒の二重筒で各筒の下方は平坦な底部で繋がっていて外筒の長さはガイド筒の長さに対し３分の１程で上部内側にフランジ状の嵌合部二があり該嵌合部二は前記［０００８］の嵌合部一と嵌合し、外筒一の外周は摘み代になっていて、前記��イド筒は上下間に一対の螺旋孔を有し、該一対の螺旋孔はガイド筒の円周上に於いて対向していて同形状を成している前記［０００６］回転調整方式の繰出容器開閉装置である。【００１０】  前記［０００７］の単筒体が外筒二と該外筒二の内側にガイド筒を設けた同心円筒の二重筒で各筒の下方は平坦な底部で繋がっていて前記外筒二の中央側面に前記［０００７］の調整体を設けるための刳抜き穴を有し、外筒二の内側には前記［０００７］のロッドを保持するための一対の対向した切欠状の嵌合溝が上下間に設けられ、外筒二の先端は前記［０００７］口紅類等が出没する開口部になっていて該開口部の内側面は球面形部を有し、軸心に直交する直線と交わる外筒二の上部側面には前記［０００７］のシャッターの回転を支持する一対の対向した支軸穴を設けていて、前記ガイド筒は上下間に一対の螺旋孔を有し、該一対の螺旋孔はガイド筒の円周上に於いて対向していて同形状を成している前記［０００７］シフト調整方式の繰出容器開閉装置である。【００１１】  前記［０００７］の調整体が前記［００１０］外筒二の刳抜き穴の上下に亘る左右間に受軸或は受板を設け該受軸或は受板の外周面を上下周方に巻付く輪ベルト状のアジャスターで構成され該アジャスターの内周面は滑らかで前記受軸或は受板の外周面に摺動しアジャスターの表面ははす歯状の駆動歯を有し上下回動自在な柔軟且つ摺動摩擦抵抗が小さい前記［０００７］シフト調整方式の繰出容器開閉装置である。【００１２】前記［０００６］及び前記［０００７］のシャッターは一対の同形状を成す中空球の分割球体で一対の双方が対向していて、該シャッターは分割球の分断面の交線が中空球の直径に等しく前記交線の両端それぞれを中心とする交線に垂直な円の球面と前記分割球の面と交わり分割球の双方の端が円弧球面で繋がる分割球体で、分割球の直径は前記円の直径の３倍程になっていて、前記分割球体の一端の円弧周側面にピ二オン部を設け該円弧の中心に円弧面に垂直な嵌合穴を設け、分割球体の他の一端の円弧の中心に円弧面に垂直な支軸を設け該支軸を有する双方の端面側を球心方向に撓ませたシャッター形状で、シャッター双方の支軸が内側から双方の嵌合穴に嵌り更に双方の支軸が前記［０００８］嵌合体一或は前記［００１０］外筒二の双方の支軸穴に嵌合してシャッターは回動自在でシャッターの球面部は常に前記［０００８］嵌合体一或は前記［００１０］外筒二の開口部の内側摺面に摺動し、シャッターの前記分断面の一端面双方が閉合する閉合面を有する前記［０００６］回転調整方式及び前記［０００７］シフト調整方式の繰出容器開閉装置である。【００１３】  前記［０００６］及び前記［０００７］の戻しバネが一対の同形状の渦巻き形状で、前記［００１２］シャッターの嵌合穴を戻しバネの中心として双方の戻しバネの一端が双方のシャッター面に嵌合係止され双方の戻しバネの他の一端が前記［０００８］嵌合体一の内側面或は前記［００１０］外筒二の内側面の双方支軸穴に接近した位置に嵌合係止され双方のシャッターは支軸を支点として戻しバネに弾発付勢されて双方のシャッターは上方に回動してシャッター前面の閉合面が互いに閉合し、又シャッターの外周面が開口部内側面に摺動して双��のシャッターが嵌合体一或は外筒二の開口部を開閉する前記［０００６］回転調整方式及び前記［０００７］シフト調整方式の繰出容器開閉装置である。【００１４】  前記［０００６］のスライド体一が前記［０００９］嵌合体二のガイド筒の内側に円筒状のホルダーが挿入され外側には円筒状のスリーブが挿入され前記ホルダーと前記スリーブは同心円筒で、ガイド筒の軸心に直交する直線上でホルダーの外周面とスリーブの内周面を連結するスライド軸があり該スライド軸はガイド筒の螺旋孔を貫通していて前記スライド軸の外延長上のスリーブ外周面の双方に突出したスライドピンを有していて該スライドピンは前記［０００８］嵌合体一のガイド溝に嵌り嵌合体一及び嵌合体二の相対回転によりスライド体一が上下移動してホルダーに嵌合保持する前記［０００６］口紅類等の被使用物が繰出し繰戻しされる前記［０００６］回転調整方式の繰出容器開閉装置である。【００１５】  前記［０００７］のスライド体二が前記［００１０］単筒体のガイド筒の内側に円筒状のホルダーが挿入され外側には円筒状のスリーブが挿入され前記ホルダーと前記スリーブは同心円筒で、ガイド筒の軸心に直交する直線上でホルダーの外周面とスリーブの内周面を連結するスライド軸があって、該スライド軸はガイド筒の螺旋孔を貫通していて、スリーブの外周面にはすば歯状の受動歯を設けていて該受動歯は前記［００１１］調整体のアジャスターの駆動歯と噛合っていてアジャスターの上下回動によりスライド体二は上下移動してホルダーに嵌合保持する前記［０００７］口紅類等の被使用物が繰出し繰戻しされる前記［０００７］シフト調整方式の繰出容器開閉装置である。【００１６】  前記［０００６］及び前記［０００７］のロッドが一対の対向する上下に長い角棒状でロッドの上部側方にラック部を設け前記［０００８］嵌合体一或は前記［００１０］外筒二の嵌合溝に該ロッドの上半分が嵌り該ラック部と前記［００１２］シャッターのピ二オン部が噛合っていて前記［００１３］戻しバネの弾発によりロッドは下方に付勢され前記［００１４］スライド体一或は前記［００１５］スライド体二の上昇によりスリーブ上端がロッド下端に当接してロッドは上昇し戻しバネの弾発に対抗してシャッターが開きロッド下端が嵌合溝の下端まで上昇するとロッド下端はスリーブ上端から外れてロッドは完全に嵌合溝に嵌りロッドの内側面はスリーブの外周面に接してロッド下端は嵌合溝の下端に付勢係止されてシャッターは開放状態を保持する前記［０００６］回転調整方式及び前記［０００７］シフト調整方式の繰出容器開閉装置である。
【発明の効果】
【００１７】  口紅類収納容器の着脱式キャップに替わり口紅類収納容器にシャッターを内装し、掴み代を相対回転させ自動的にシャッターが開閉することでキャップ脱落の不具合及びキャップ着脱の不便さを解消している。
更に片手指のみで自動的にシャッターが開閉することでキャップ脱落の不具合、及びキャップ着脱の不便さ、及びに掴み代を相対回転させる両手使いの不便さを解消している。
【図面の簡単な説明】
【００１８】
【図１】本発明の回転調整方式における口紅類等の収納状態の側断面図
【図２】本発明の回転調整方式における口紅類等の使用開始状態の側断面図
【図３】本発明の回転調整方式における口紅類等の全繰出し状態の側断面図
【図４】本発明のシフト調整方式における口紅類等の収納状態の側断面図
【図５】本発明のシフト調整方式における口紅類等の使用開始状態の側断面図
【図６】本発明のシフト調整方式における口紅類等の全繰出し状態の側断面図
【発明を実施するための形態】
【００１９】  繰出容器開閉装置における回転調整方式、及びシフト調整方式の構成と使用法について、筒体の先端側を上方として説明する。
【実施例１】
【００２０】  本発明の実施の形態における実施例１として回転調整方式の構成及び使用法について図１，図２，図３を基に説明する。【００２１】  嵌合体一１は外周側面が摘み代になっていて嵌合体一１の下方に嵌合部一１ｇを有し、嵌合体一１の内側面には一対のガイド溝１ｅ，１ｆが上下間に設けられ、又嵌合体一１の内側面にはロッド７を保持するための一対の嵌合溝１ｂ，１ｃを上下間に設けて、嵌合体一１の先端は口紅類等１４が出没する開口部１ａを有し開口部１ａの内側面は球面形部を成し、嵌合体一１の上部側面にはシャッター５，６の回転を支持する一対の支軸穴１ｈ，１ｉを設けている。【００２２】  嵌合体二１７は外筒一１７ｂとガイド筒２が同心円筒で各筒の下方は平坦な底部３で繋り外筒１７ｂの長さはガイド筒２の長さに対し３分の１程で上部内側にフランジ状の嵌合部二１７ａがあり嵌合部二１７ａは嵌合部一１ｇと嵌合し、外筒一１７ｂの外周は摘み代になっていて、ガイド筒２は上下間に一対の螺旋孔２ｂを有し、一対の螺旋孔２ｂはガイド筒２の円周上に於いて対向していて同形状を成している。【００２３】  シャッター５，６は一対の同形状を成す分割球体で双方が対向していて、シャッター５，６の双方一端の円弧周側面にピ二オン部５ａ，６ａが有り双方円弧の中心に嵌合穴５ｅ，６ｅがある、シャッター５，６双方の他の一端に設けた支軸５ｂ，６ｂが双方の嵌合穴５ｅ，６ｅに嵌り更に双方の支軸５ｂ，６ｂは嵌合体一１の双方の支軸穴１ｈ，１ｉに嵌合してシャッター５，６は回動自在でシャッター５，６の球面部は常に開口部１ａの内側摺面１５，１６を摺動し、シャッター５，６の前記分断面の一端面双方が閉合する閉合面５ｃ，６ｃを有している。【００２４】  戻しバネ４ａ，４ｂは一対の同形状をなす渦巻き状バネで、双方の戻しバネ４ａ，４ｂは支軸穴１ｈ，１ｉを中心として一端が双方のシャッター５，６の外面に嵌合係止され双方の戻しバネ４ａ，４ｂの他の一端は嵌合体一１の双方の支軸穴１ｈ，１ｉに接近した位置に嵌合係止されている。【００２５】スライド体一Ａはガイド筒２の内側に円筒状のホルダー１０が挿入され外側には円筒状のスリーブ９が挿入されホルダー１０とスリーブ９は同心円筒で、ホルダー１０の外周面とスリーブの内周面を連結するスライド軸１１がありスライド軸１１はガイド筒２の螺旋孔２ａ，２ｂを貫通していて、ホルダー１０には口紅類１４が嵌合保持され、スリーブ外周面の双方に突出したスライドピン９ｄ，９ｅが嵌合体一１のガイド溝１ｅ，１ｆに嵌っている。【００２６】  ロッド７，８は一対が対向して上下に長い角棒状でロッド７，８双方の上部側方にラック部７ａ，８ａを設け嵌合体一１の嵌合溝１ｂ，１ｃにロッド７，８の上半分が嵌りラック部７ａ，８ａとシャッター５，６のピ二オン部５ａ，６ａが噛合っていて戻しバネ４ａ，４ｂの弾発によりロッド７，８は下方に付勢されている。【００２７】  使用法については筒体である嵌合体一１及び嵌合体二１７の外周面を摘んで互い違い方向に回転させることで嵌合体一１の先端内部に設けたシャッター５，６が開閉すると共に口紅類１４が出没して繰出し繰戻し調整ができる繰出容器開閉装置において、図１を筒体の上方より視た状態で開口部１���の開口中央で双方のシャッター５，６が一文字に閉合していて、口紅類等１４はシャッター５，６上部内側面に近接している状態で、使用時には嵌合体一１に対し嵌合体二１７を時計回りに相対回転させることで図２に示す様にシャッター５，６が開き同時に口紅類等１４の先端は開口部１ａ上端に現れる。口紅類等１４の上下移動量に対しシャッター５，６の開閉回転移動量は３倍程になっている。
更に同方向回転させることで口紅類等１４は開口部１ａより突出して繰出し量が最大の状態を図３に示し、相対回転方向を調整することで希望する繰出し量を決める。【００２８】  使用後は嵌合体一１に対し嵌合体二１７を反時計回りに相対回転させて口紅類等１４は開口部１ａより没入すると同時にシャッター５，６は閉まり回転が係止され口紅類等１４は収納される、
【実施例２】
【００２９】  本発明の実施の形態における実施例２としてシフト調整方式の構成及び使用法について図４，図５，図６を基に説明する。【００３０】  単筒体は外筒二１０１とガイド筒２が同心円筒で各筒の下方は平坦な底部３で繋がっていて外筒二１０１の中央側面に刳抜き穴を有し、外筒二１０１の内側面にはロッド７を保持するための一対の対向した嵌合溝１ｂ，１ｃを設けて、外筒１０１の先端は開口部１ａで開口部１ａの内側面は球面形部を成し、外筒二１０１の上部側面にはシャッター５，６の回転を支持する一対の対向した支軸穴１ｈ，１ｉを設け、ガイド筒２は一対の螺旋孔２ａ，２ｂを有し、一対の螺旋孔２ａ，２ｂはガイド筒２の円周上に於いて対向し同形状を成している。【００３１】  調整体は前記外筒二１０１の刳抜き穴の左右間に受軸１２或は受板を設け受軸１２或は受板の外周面を上下方に巻付く輪ベルト状のアジャスター１３で構成され、アジャスター１３の平坦な内周面が受軸１２或は受板の外周面に摺動して、アジャスター１３は柔軟且つ摺動摩擦抵抗が小さく表面ははす歯状の駆動歯１３ｂを有し上下回動自在である。【００３２】  シャッター５，６は一対の同形状を成す分割球体で双方が対向していて、シャッター５，６の双方一端の円弧周側面にピ二オン部５ａ，６ａが有り双方円弧の中心に嵌合穴５ｅ，６ｅがある、シャッター５，６双方の他の一端に設けた支軸５ｂ，６ｂが双方の嵌合穴５ｅ，６ｅに嵌り更に双方の支軸５ｂ，６ｂは外筒１０１の双方の支軸穴１ｈ，１ｉに嵌合してシャッター５，６は回動自在でシャッター５，６の球面部は常に開口部１ａの内側摺面１５，１６を摺動し、シャッター５，６の前記分断面の一端面双方が閉合する閉合面５ｃ，６ｃを有している。【００３３】  戻しバネ４ａ，４ｂは一対の同形状をなす渦巻き状バネで、双方の戻しバネ４ａ，４ｂは支軸穴１ｈ，１ｉを中心として一端が双方のシャッター５，６の外面に嵌合係止され双方の戻しバネ４ａ，４ｂの他の一端は外筒１０１内側面の双方の支軸穴１ｈ，１ｉに接近した位置に嵌合係止されている。【００３４】  スライド体二Ｂはガイド筒２の内側に円筒状のホルダー１０が挿入され外側には円筒状のスリーブ９が挿入されホルダー１０とスリーブ９は同心円筒で、ホルダー１０の外周面とスリーブ９の内周面を連結するスライド軸１１がありスライド軸１１はガイド筒２の螺旋孔２ａ，２ｂを貫通していて、スリーブ９の外周面にはすば歯状の受動歯９ｂを設けていて受動歯９ｂは調整体のアジャスター１３の駆動歯１３ｂと噛合っていてアジャスター１３を上下回動移動するとスライド体二Ｂは上下移動する。【００３５】  ロッド７，８は一対が対向して上下に長い角棒状でロッド７，８双方の上部側方にラック部７ａ，８ａを設け外筒１０１の嵌合溝１ｂ，１ｃにロッド７，８の上半分が嵌りラック部７ａ，８ａとシャッター５，６のピ二オン部５ａ，６ａが噛合っていて戻しバネ４ａ，４ｂの弾発によりロッド７，８は下方に付勢されている。【００３６】  使用法については外筒二１０１の中央に設けたアジャスター１３を指で押さえ上下方向にシフトすることで外筒二１０１の先端内部に設けたシャッター５，６が開閉すると共に口紅類等１４が出没して繰出し繰戻し調��ができる繰出容器開閉装置において、図４を筒体の上方より視た状態では開口部１ａの開口中央で双方のシャッター５，６が一文字に閉合していて、口紅類等１４はシャッター５，６上部内側に近接している状態で、使用時にはアジャスター１３を下方にシフトすることで図５に示す様にシャッター５，６が開き同時に口紅類等１４の先端が開口部１ａ上端に現れる。口紅類等１４の上下移動量に対しシャッター５，６の開閉回転移動量は３倍程になっている。
更に下方向にシフトさせることで口紅類等１４は開口部１ａより突出して繰出し量が最大状態を図６に示し、上下にシフト調整することで希望する繰出し量を決める。【００３７】  使用後はアジャスター１３を上方にシフトすることで口紅類等１４は開口部１ａより没入すると同時にシャッター５，６は閉まり回転が係止され口紅類等１４は収納される。
【符号の説明】
【００３８】１      嵌合体一
１ａ    開口部
１ｂ    嵌合溝
１ｃ    嵌合溝
１ｄ
１ｅ    ガイド溝
１ｆ    ガイド溝
１ｇ    嵌合部一
１ｈ    支軸穴
１ｉ    支軸穴
２      ガイド筒
２ａ    螺旋孔
３      底部
４ａ    戻しバネ
４ｂ    戻しバネ
５      シャッター
５ａ    ピ二オン部
５ｂ    支軸
５ｃ    閉合面
５ｄ
５ｅ    嵌合穴
６      シャッター
６ａ    ピ二オン部
６ｂ    支軸
６ｃ    閉合面
６ｄ
６ｅ    嵌合穴
７      ロッド
７ａ    ラック部
７ｂ    ロッド下端
８      ロッド
８ａ    ラック部
８ｂ    ロッド下端
９      スリーブ
９ａ
９ｂ    受動歯
９ｃ    スリーブ上端
９ｄ    スライドピン
９ｅ    スライドピン
１０    ホルダー
１１    スライド軸
１２    受軸
１３    アジャスター
１３ａ
１３ｂ  駆動歯
１４    口紅類等
１５    内側周面
１６    内側周面
１７    嵌合体二
１７ａ  嵌合部二
１７ｂ  外筒一
１０１  外筒二
Ａ      スライド体一
Ｂ      スライド体二
【図１】
2012228496.tif 000003
【図２】
2012228496.tif 000004
【図３】
2012228496.tif 000005
【図４】
2012228496.tif 000006
【図５】
2012228496.tif 000007
【図６】
2012228496.tif 000008
【手続補正書】
【提出日】平成23年10月13日(2011.10.13)
【手続補正１】
【補正対象書類名】明細書
【補正対象項目名】全文
【補正方法】変更
【補正の内容】
【発明の詳細な説明】
【技術分野】
【０００１】  本発明は口紅類収納容器等の繰出容器開閉装置に関するもので、キャップの抜差しに替ってシャッターが自動開閉すると共に例えば口紅類等の被使用物を出没自在に繰出し繰戻し調整することが可能で、更には片手指だけで容易にシャッターが自動開閉すると共に口紅類等を出没自在に繰出し繰戻し調整できる便利な繰出容器開閉装置に関するものである。
【背景技術】
【０００２】  従来、口紅類収納容器等の使用操作は口紅類収納容器本体に着脱自在に嵌合するキャップを取外した後に筒状の口紅類収納容器本体が上部と下部に分かれた嵌合体の両部それぞれを摘んで周方向に互い違いに相対回転させることで口紅類収納容器の上端開口から出没する口紅類等の突出量を繰出調整して使用する。使用後は口紅類収納容器本体の上部と下部をそれぞれ摘んで突出時と逆方向に相対回転させて口紅類収納容器の上端口から口紅類を没入収納させてからキャップを取付ける。
上記キャップ着脱の不便さを解消するための考案が特開２０１０−１７８９１７に掲載されている、該掲載の考案は繰出容器開閉装置で容器の上下それぞれを摘んで相対回転させることで、はすば歯車に連動するラックの上部に付設した蓋の上下移動に対し被使用物が上下逆移動する共に口紅類等の出没する開孔部を蓋部で開閉する機構になっている。
【発明の概要】
【発明が解決しようとする課題】
【０００３】  口紅類収納容器のキャップ着脱の際にキャップが脱落してしまう不具合があり又キャップ着脱の手間もかかる、更に口紅類収納容器本体から口紅等の出没は口紅類収納容器本体の上部と下部をそれぞれ掴む両手操作である為に不便さがある、本発明はこれらの不具合を解決することにある。【０００４】  前記掲載の考案で相対回転に対し蓋の上下移動量は被使用物の移動量よりかなり大きいことが望ましく、このことは被使用物の収納状態から繰出しするときに蓋に被使用物が極接近した位置から繰出されることで被使用物の無効ストローク空間をなくし、結果として定容量容器に対する被使用物量を大きくできる。又被使用物の出没タイムラグが小さく扱い易いこともある。
更に前記掲載の考案で蓋の材質によるが被使用物が出没する開孔部の内側面に蓋が折り曲がって接触しながら移動するために摺動抵抗が大きくなり結果として容器を掴んで相対回転させる為により大きな力を要することになる。
更に上記摺動抵抗が大きいために上記開口部の形状は斜になって形状的に制約がある。
以上の問題も鑑み解決することにある。
【課題を解決するための手段】
【０００５】  本発明の繰出容器開閉装置は、（１）外装が上下の筒体からなり操作は筒体の上下外周面を掴んで相対回転させシャッターの開閉及び口紅類の繰出し繰戻しする回転調整方式、（２）外装が単筒体の筒体からなり操作は単筒体の中央にあるベルト状のアジャスターを上下送りして口紅類繰出し繰戻しするシフト調整方式がある。【０００６】  筒体の外周面が上部と下部に分かれ、それぞれを摘み代として相対回転させることで口紅類等の被使用物が前記筒体の先端開口より出没及び繰出し繰戻し自在に構成される繰出容器開閉装置において、筒体の上部を嵌合体一、筒体の下部を嵌合体二とし、嵌合体一及び嵌合体二のそれぞれは上下方向に嵌合保持し周方向において互いに逆方向に回転自在で、筒体内部には回転に連動して上下移動するスライド体一を設け該スライド体一は口紅類等を嵌合保持し、スライド体一の上方にロッドを設け嵌合体一の先端に開口部が有り該開口部の直下には回動自在なシャッターを設け該シャッターと前記ロッドが連動しシャッターは戻しバネにより弾発付勢され通常は先端開口部を閉塞していて、スライド体一が上昇するとロッド下端とスライド体一の上端が当接し戻しバネの弾発に対抗してシャッターが開き口紅類の突出繰出し調整できる前記回転調整方式の繰出容器開閉装置である。【０００７】  筒体の外周面は単筒体で該単筒体側部に調整体を設け該調整体のアジャスターを操作することで口紅類等の被使用物が前記単筒体の先端開口より出没及び繰出し繰戻し自在に構成される繰出容器開閉装置において、アジャスターは上下方向に回動自在で該アジャスターに連動して単筒体内を上下移動するスライド体二を有し該スライド体二は口紅類等を嵌合保持し、スライド体二の上方にロッドを設け単筒体の先端に開口部が有り該開口部の直下には回動自在なシャッターを設け該シャッターと前記ロッドが連動しシャッターは戻しバネにより弾発付勢され通常は先端開口部を閉塞していて、スライド体二が上昇するとロッド下端とスライド体二の上端が当接し戻しバネの弾発に対抗してシャッター開放を保持して口紅類の突出繰出し調整できる前記シフト調整方式の繰出容器開閉装置である。【０００８】  嵌合体一が外周側面は摘み代になっていて嵌合体一の下端に嵌合部一を有し、嵌合体一の内側には前記スライド体一を上下移動するため一対の対向した切欠状のガイド溝が上下間に設けられ、又嵌合体一の内側にはロッドを保持するための一対の対向した切欠状の嵌合溝が上下間に設けられ、嵌金体一の開口部の内側面は球面形状を成し、軸心に直交する直線と交わる嵌合体一の上部側面にはシャッターの回転を支持する一対の対向した支軸穴を設けている回転調整方式の繰出容器開閉装置である。【０００９】嵌合体二は外筒一と該外筒一の内側にガイド筒を設けた同心円筒の二重筒で各筒の下方は平坦な底部で繋がっていて外筒の長さはガイド筒の長さに対し３分の１程で上部内側にフランジ状の嵌合部二があり該嵌合部二は嵌合部一と嵌合し、外筒一の外周は摘み代になっていて、前記ガイド筒は上下間に一対の螺旋孔を有し、該一対の螺旋孔はガイド筒の円周上に於いて対向していて同形状を成している回転調整方式の繰出容器開閉装置である。【００１０】単筒体���外筒二と該外筒二の内側にガイド筒を設けた同心円筒の二重筒で各筒の下方は平坦な底部で繋がっていて、外筒二の内側にはロッドを保持するための一対の対向した切欠状の嵌合溝が上下間に設けられ、外筒二の開口部の内側面は球面形部を有し、軸心に直交する直線と交わる外筒二の上部側面にはシャッターの回転を支持する一対の対向した支軸穴を設けていて、前記ガイド筒は上下間に一対の螺旋孔を有し、該一対の螺旋孔はガイド筒の円周上に於いて対向していて同形状を成しているシフト調整方式の繰出容器開閉装置である。【００１１】外筒二の中央側面に調整体を設けるための刳抜き穴を有し、調整体は外筒二の刳抜き穴の上下に亘る左右間に受軸或は受板を備え該受軸或は受板の外周面を上下周方に巻付く輪ベルト状のアジャスターで構成され該アジャスターの内周面は滑らかで前記受軸或は受板の外周面に摺動しアジャスターの表面ははす歯状の駆動歯を有し上下回動自在な柔軟且つ摺動摩擦抵抗が小さいシフト調整方式の繰出容器開閉装置である。【００１２】  シャッターは一対の同形状を成す中空球の分割球体で一対の双方が対向していて、該シャッターは分割球の分断面の交線が中空球の直径に等しく前記交線の両端である前記分割球の両端位置には交線に垂直で交線を中心とする球面を有した円盤状の端部を設けていてそれぞれの端部が分割球と繋がる分割球体で前記端部の径は分割球の径より小さく、前記分割球体の一方の端部の外径周面側にピニオン部を設け該端部の中心位置には分割球の径方向に嵌合穴を設けていて、分割球体の他の一方の端部には該端部の中心位置に前記分割球の径方向に支軸を設け該支軸を有する端部を分割球の球心方向に撓ませたシャッター形状で、シャッター双方の支軸が内側から双方の嵌合穴に嵌り更に双方の支軸が嵌合体一或は外筒二の双方の支軸穴に嵌合してシャッターは回動自在でシャッターの球面部は常に嵌合体一或は外筒二の開口部の内側摺面に摺動し、シャッターの前記分断面の一方面双方が閉合する閉合面を有する回転調整方式又はシフト調整方式の繰出容器開閉装置である。【００１３】戻しバネが一対の同形状の渦巻き形状で、シャッターの嵌合穴を戻しバネの中心として双方の戻しバネの一端が双方のシャッター面に嵌合係止され双方の戻しバネの他の一端が嵌合体一の内側面或は外筒二の内側面の双方支軸穴に接近した位置に嵌合係止され双方のシャッターは支軸を支点として戻しバネに弾発付勢されて双方のシャッターは上方に回動してシヤッター前面の閉合面が互いに閉合し、又シャッターの外周面が開口部内側面に摺動して双方のシャッターが嵌合体一或は外筒二の開口部を開閉する回転調整方式又はシフト調整方式の繰出容器開閉装置である。【００１４】スライド体一が嵌合体二のガイド筒の内側に円筒状のホルダーが挿入され外側には円筒状のスリーブが挿入され前記ホルダーと前記スリーブは同心円筒で、ガイド筒の軸心に直交する直線上でホルダーの外周面とスリーブの内周面を連結するスライド軸があり該スライド軸はガイド筒の螺旋孔を貫通していて前記スライド軸の外延長上のスリーブ外周面の双方に突出したスライドピンを有していて該スライドピンは嵌合体一のガイド溝に嵌り嵌合体一及び嵌合体二の相対回転によ��スライド体一が上下移動してホルダーに嵌合保持する口紅類等の被使用物が繰出し繰戻しされる回転調整方式の繰出容器開閉装置である。【００１５】スライド体二が単筒体のガイド筒の内側に円筒状のホルダーが挿入され外側には円筒状のスリーブが挿入され前記ホルダーと前記スリーブは同心円筒で、ガイド筒の軸心に直交する直線上でホルダーの外周面とスリーブの内周面を連結するスライド軸があって、該スライド軸はガイド筒の螺旋孔を貫通していて、スリーブの外周面にはすば歯状の受動歯を設けていて該受動歯は調整体のアジャスターの駆動歯と噛合っていてアジャスターの上下回動によりスライド体二は上下移動してホルダーに嵌合保持する口紅類等の被使用物が繰出し繰戻しされるシフト調整方式の繰出容器開閉装置である。【００１６】ロッドが一対の対向する上下に長い角棒状でロッドの上部側方にラック部を設け嵌合体一或は外筒二の嵌合溝に該ロッドの上半分が嵌り該ラック部とシャッターのピニオン部が噛合っていて戻しバネの弾発によりロッドは下方に付勢されスライド体一或はスライド体二の上昇によりスリーブ上端がロッド下端に当接してロッドは上昇し戻しバネの弾発に対抗してシャッターが開きロッド下端が嵌合溝の下端まで上昇するとロッド下端はスリーブ上端から外れてロッドは完全に嵌合溝に嵌りロッドの内側面はスリーブの外周面に接してロッド下端は嵌合溝の下端に付勢係止されてシャッターは開放状態を保持する回転調整方式又は及びシフト調整方式の繰出容器開閉装置である。
【発明の効果】
【００１７】  口紅類収納容器の着脱式キャップに替わり口紅類収納容器にシャッターを内装し、掴み代を相対回転させ自動的にシャッターが開閉することでキャップ脱落の不具合及びキャップ着脱の不便さを解消している。
更に片手指のみで自動的にシャッターが開閉することでキャップ脱落の不具合、及びキャップ着脱の不便さ、及びに掴み代を相対回転させる両手使いの不便さを解消している。
【図面の簡単な説明】
【００１８】
【図１】本発明の回転調整方式における口紅類等の収納状態の側断面図
【図２】本発明の回転調整方式における口紅類等の使用開始状態の側断面図
【図３】本発明の回転調整方式における口紅類等の全繰出し状態の側断面図
【図４】本発明のシフト調整方式における口紅類等の収納状態の側断面図
【図５】本発明のシフト調整方式における口紅類等の使用開始状態の側断面図
【図６】本発明のシフト調整方式における口紅類等の全繰出し状態の側断面図
【発明を実施するための形態】
【００１９】  繰出容器開閉装置における回転調整方式、及びシフト調整方式の構成と使用法について、筒体の先端側を上方として説明する。
【実施例１】
【００２０】  本発明の実施の形態における実施例１として回転調整方式の構成及び使用法について図１，図２，図３を基に説明する。【００２１】  嵌合体一１は外周側面が摘み代になっていて嵌合体一１の下方に嵌合部一１ｇを有し、嵌合体一１の内側面には一対のガイド溝１ｅ，１ｆが上下間に設けられ、又嵌合体一１の内側面にはロッド７を保持するための一対の嵌合溝１ｂ，１ｃを上下間に設けて、嵌合体一１の先端は口紅類等１４が出没する開口部１ａを有し開口部１ａの内側面は球面形部を成し、嵌合体一１の上部側面にはシャッター５，６の回転を支持する一対の支軸穴１ｈ，１ｉを設けている。【００２２】  嵌合体二１７は外筒一１７ｂとガイド筒２が同心円筒で各筒の下方は平坦な底部３で繋り外筒１７ｂの長さはガイド筒２の長さに対し３分の１程で上部内側にフランジ状の嵌合部二１７ａがあり嵌合部二１７ａは嵌合部一１ｇと嵌合し、外筒一１７ｂの外周は摘み代になっていて、ガイド筒２は上下間に一対の螺旋孔２ｂを有し、一対の螺旋孔２ｂはガイド筒２の円周上に於いて対向していて同形状を成している。【００２３】  シャッター５，６は分断面を有する分割球体で同形状を成し半径は１０ｍｍ程で双方が対向していて、シャッター５，６の双方の一端である端部一５ｆ，６ｆの中心から円弧周までの半径は３ｍｍ程で円弧周の周側面にピニオン部５ａ，６ａが設けてあり端部一５ｆ，６ｆの双方円弧の中心に嵌合穴５ｅ，６ｅがある、シャッター５，６の双方の他の一端である端部二５ｇ，６ｇの中心位置には支軸５ｂ，６ｂを設けていて支軸５ｂ，６ｂは双方の嵌合穴５ｅ，６ｅに嵌り更に双方の支軸５ｂ，６ｂは嵌合体一１の双方の支軸穴１ｈ，１ｉに嵌合してシャッター５，６は回動自在でシャッター５，６の球面部は常に開口部１ａの内側摺面１５，１６を摺動し、シャッター５，６の前記分断面の一端面双方が閉合する閉合面５ｃ，６ｃを有している。【００２４】  戻しバネ４ａ，４ｂは一対の同形状をなす渦巻き状バネで、双方の戻しバネ４ａ，４ｂは支軸穴１ｈ，１ｉを中心として一端が双方のシャッター５，６の外面に嵌合係止され双方の戻しバネ４ａ，４ｂの他の一端は嵌合体一１の双方の支軸穴１ｈ，１ｉに接近した位置に嵌合係止されている。【００２５】スライド体一Ａはガイド筒２の内側に円筒状のホルダー１０が挿入され外側には円筒状のスリーブ９が挿入されホルダー１０とスリーブ９は同心円筒で、ホルダー１０の外周面とスリーブの内周面を連結するスライド軸１１がありスライド軸１１はガイド筒２の螺旋孔２ａ，２ｂを貫通していて、ホルダー１０には口紅類１４が嵌合保持され、スリーブ外周面の双方に突出したスライドピン９ｄ，９ｅが嵌合体一１のガイド溝１ｅ，１ｆに嵌っている。【００２６】  ロッド７，８は一対が対向して上下に長い角棒状でロッド７，８双方の上部側方にラック部７ａ，８ａを設け嵌合体一１の嵌合溝１ｂ，１ｃにロッド７，８の上半分が嵌りラック部７ａ，８ａとシャッター５，６のピニオン部５ａ，６ａが噛合っていて戻しバネ４ａ，４ｂの弾発によりロッド７，８は下方に付勢されている。【００２７】  使用法については筒体である嵌合体一１及び嵌合体二１７の外周面を摘んで互い違い方向に回転させること���嵌合体一１の先端内部に設けたシャッター５，６が開閉すると共に口紅類１４が出没して繰出し繰戻し調整ができる繰出容器開閉装置において、図１を筒体の上方より視た状態で開口部１ａの開口中央で双方のシャッター５，６が一文字に閉合していて、口紅類等１４はシャッター５，６上部内側面に近接している状態で、使用時には嵌合体一１に対し嵌合体二１７を時計回りに相対回転させることで図２に示す様にシャッター５，６が開き同時に口紅類等１４の先端は開口部１ａ上端に現れる。口紅類等１４の上下移動量に対しシャッター５，６の開閉回転移動量は３倍程になっている。
更に同方向回転させることで口紅類等１４は開口部１ａより突出して繰出し量が最大の状態を図３に示し、相対回転方向を調整することで希望する繰出し量を決める。【００２８】  使用後は嵌合体一１に対し嵌合体二１７を反時計回りに相対回転させて口紅類等１４は開口部１ａより没入すると同時にシャッター５，６は閉まり回転が係止され口紅類等１４は収納される、
【実施例２】
【００２９】  本発明の実施の形態における実施例２としてシフト調整方式の構成及び使用法について図４，図５，図６を基に説明する。【００３０】  単筒体は外筒二１０１とガイド筒２が同心円筒で各筒の下方は平坦な底部３で繋がっていて外筒二１０１の中央側面に刳抜き穴を有し、外筒二１０１の内側面にはロッド７を保持するための一対の対向した嵌合溝１ｂ，１ｃを設けて、外筒１０１の先端は開口部１ａで開口部１ａの内側面は球面形部を成し、外筒二１０１の上部側面にはシャッター５，６の回転を支持する一対の対向した支軸穴１ｈ，１ｉを設け、ガイド筒２は一対の螺旋孔２ａ，２ｂを有し、一対の螺旋孔２ａ，２ｂはガイド筒２の円周上に於いて対向し同形状を成している。【００３１】  調整体は前記外筒二１０１の刳抜き穴の左右間に受軸１２或は受板を設け受軸１２或は受板の外周面を上下方に巻付く輪ベルト状のアジャスター１３で構成され、アジャスター１３の平坦な内周面が受軸１２或は受板の外周面に摺動して、アジャスター１３は柔軟且つ摺動摩擦抵抗が小さく表面ははす歯状の駆動歯１３ｂを有し上下回動自在である。【００３２】  シャッター５，６は分断面を有する分割球体で同形状を成し半径は１０ｍｍ程で双方が対向していて、シャッター５，６の双方の一端である端部一５ｆ，６ｆの中心から円弧周までの半径は３ｍｍ程で円弧周の周側面にピニオン部５ａ，６ａが設けてあり端部一５ｆ，６ｆの双方円弧の中心に嵌合穴５ｅ，６ｅがある、シャッター５，６の双方の他の一端である端部二５ｇ，６ｇの中心位置には支軸５ｂ，６ｂを設けていて支軸５ｂ，６ｂは双方の嵌合穴５ｅ，６ｅに嵌り更に双方の支軸５ｂ，６ｂは嵌合体一１の双方の支軸穴１ｈ，１ｉに嵌合してシャッター５，６は回動自在でシャッター５，６の球面部は常に開口部１ａの内側摺面１５，１６を摺動し、シャッター５，６の前記分断面の一端面双方が閉合する閉合面５ｃ，６ｃを有している。【００３３】  戻しバネ４ａ，４ｂは一対の同形状をなす渦巻き状バネで、双方の戻しバネ４ａ，４ｂは支軸穴１ｈ，１ｉを中心として一端が双方のシャッター５，６の外面に嵌合係止され双方の戻しバネ４ａ，４ｂの他の一端は外筒１０１内側面の双方の支軸穴１ｈ，１ｉに接近した位置に嵌合係止されている。【００３４】  スライド体二Ｂはガイド筒２の内側に円筒状のホルダー１０が挿入され外側には円筒状のスリーブ９が挿入されホルダー１０とスリーブ９は同心円筒で、ホルダー１０の外周面とスリーブ９の内周面を連結するスライド軸１１がありスライド軸１１はガイド筒２の螺旋孔２ａ，２ｂを貫通していて、スリーブ９の外周面にはすば歯状の受動歯９ｂを設けていて受動歯９ｂは調整体のアジャスター１３の駆動歯１３ｂと噛合っていてアジャスター１３を上下回動移動するとスライド体二Ｂは上下移動する。【００３５】  ロッド７，８は一対が対向して上下に長い角棒状でロッド７，８双方の上部側方にラック部７ａ，８ａを設け外筒１０１の嵌合溝１ｂ，１ｃにロッド７，８の上半分が嵌りラック部７ａ，８ａとシャッター５，６のピニオン部５ａ，６ａが噛合っていて戻しバネ４ａ，４ｂの弾発によりロッド７，８は下方に付勢されている。【００３６】  使用法については外筒二１��１の中央に設けたアジャスター１３を指で押さえ上下方向にシフトすることで外筒二１０１の先端内部に設けたシャッター５，６が開閉すると共に口紅類等１４が出没して繰出し繰戻し調整ができる繰出容器開閉装置において、図４を筒体の上方より視た状態では開口部１ａの開口中央で双方のシャッター５，６が一文字に閉合していて、口紅類等１４はシャッター５，６上部内側に近接している状態で、使用時にはアジャスター１３を下方にシフトすることで図５に示す様にシャッター５，６が開き同時に口紅類等１４の先端が開口部１ａ上端に現れる。口紅類等１４の上下移動量に対しシャッター５，６の開閉回転移動量は３倍程になっている。
更に下方向にシフトさせることで口紅類等１４は開口部１ａより突出して繰出し量が最大状態を図６に示し、上下にシフト調整することで希望する繰出し量を決める。【００３７】  使用後はアジャスター１３を上方にシフトすることで口紅類等１４は開口部１ａより没入すると同時にシャッター５，６は閉まり回転が係止され口紅類等１４は収納される。
【符号の説明】
【００３８】１      嵌合体一
１ａ    開口部
１ｂ    嵌合溝
１ｃ    嵌合溝
１ｄ
１ｅ    ガイド溝
１ｆ    ガイド溝
１ｇ    嵌合部一
１ｈ    支軸穴
１ｉ    支軸穴
２      ガイド筒
２ａ    螺旋孔
３      底部
４ａ    戻しバネ
４ｂ    戻しバネ
５      シャッター
５ａ    ピニオン部
５ｂ    支軸
５ｃ    閉合面
５ｄ
５ｅ    嵌合穴
５ｆ    端部一
５ｇ    端部二
６      シャッター
６ａ    ピニオン部
６ｂ    支軸
６ｃ    閉合面
６ｄ
６ｅ    嵌合穴
６ｆ    端部一
６ｇ    端部二
７      ロッド
７ａ    ラック部
７ｂ    ロッド下端
８      ロッド
８ａ    ラック部
８ｂ    ロッド下端
９      スリーブ
９ａ
９ｂ    受動歯
９ｃ    スリーブ上端
９ｄ    スライドピン
９ｅ    スライドピン
１０    ホルダー
１１    スライド軸
１２    受軸
１３    アジャスター
１３ａ
１３ｂ  駆動歯
１４    口紅類等
１５    内側周面
１６    内側周面
１７    嵌合体二
１７ａ  嵌合部二
１７ｂ  外筒一
１０１  外筒二
Ａ      スライド体一
Ｂ      スライド体二
【手続補正２】
【補正対象書類名】特許請求の範囲
【補正対象項目名】全文
【補正方法】変更
【補正の内容】
【特許請求の範囲】
【請求項１】
筒体の外周面が上部と下部に分かれ、それぞれを摘み代として相対回転させることで口紅類等の被使用物が前記筒体の先端開口より出没及び繰出し繰戻し自在に構成される繰出容器開閉装置において、筒体の上部を嵌合体一、筒体の下部を嵌合体二とし、嵌合体一及び嵌合体二のそれぞれは上下方向に嵌合保持し周方向において互いに逆方向に回転自在で、筒体内部には回転に連動して上下移動するスライド体一を設け該スライド体一は口紅類等を嵌合保持し、スライド体一の上方にロッドを設け嵌合体一の先端に開口部が有り該開口部の直下には回動自在なシャッターを設け該シャッターと前記ロッドが連動し該シャッターは戻しバネにより弾発付勢され通常は先端開口部を閉塞していて、スライド体一が上昇するとロッド下端とスライド体一の上端が当接し戻しバネの弾発に対抗してシャッターが開き口紅類の突出繰出し調整できることを特徴とする繰出容器開閉装置。
【請求項２】
筒体の外周面は単筒体で該単筒体側部に調整体を設け該調整体のアジャスターを操作することで口紅類等の被使用物が前記単筒体の先端開口より出没及び繰出し繰戻し自在に構成される繰出容器開閉装置において、アジャスターは上下方向に回動自在で該アジャスターに連動して単筒体内を上下移動するスライド体二を設け該スライド体二は口紅類等を嵌合保持し、スライド体二の上方にロッドを設け単筒体の先端に開口部が有り該開口部の直下には回動自在なシャッターを設け該シャッターと前記ロッドが連動し該シャッターは戻しバネにより弾発付勢され通常は先端開口部を閉塞していて、スライド体二が上昇するとロッド下端とスライド体二の上端が当接し戻しバネの弾発に対抗してシャッターが開き口紅類の突出繰出し調整できることを特徴とする繰出容器開閉装置。
【請求項３】
請求項１の嵌合体一の外周側面が摘み代で該嵌合体一の下端に嵌合部一を有し、嵌合体一の内側には前記スライド体一を上下移動するため一対の対向した切欠状のガイド溝が上下間に設けられ、又嵌合体一の内側面には請求項１のロッドを保持するための一対の対向した切欠状の嵌合溝が上下間に設けられ、嵌合体一の開口部の内側面は球面形状を成し、軸心に直交する直線と交わる嵌合体一の上部側面にはシャッターの回転を支持する一対の対向した支軸穴を設けていることを特徴とする請求項１記載の繰出容器開閉装置。
【請求項４】
嵌合体二が外筒一と該外筒一の内側にガイド筒を設けた同心円筒の二重筒で各筒の下方は平坦な底部で繋がっていて外筒一の長さはガイド筒の長さに対し３分の１程で上部内側にフランジ状の嵌合部二があり該嵌合部二は嵌合部一と嵌合し、外筒一の外周は摘み代になっていて、前記ガイド筒は上下間に一対の螺旋孔を有し、一対の該螺旋孔はガイド筒の円周上に於いて対向していて同形状を成していることを特徴とする請求項３記載の繰出容器開閉装置。
【請求項５】
請求項２の単筒体が外筒二と該外筒二の内側にガイド筒を設けた同心円筒の二重筒で各筒の下方は平坦な底部で繋がっていて、外筒二の内側にはロッドを保持するための一対の対向した切欠状の嵌合溝が上下間に設けられ、外筒二の開口部の内側面は球面形部を有し、軸心に直交する直線と交わる外筒二の上部側面には請求項２のシャッターの回転を支持する一対の対向した支軸穴を設けていて、前記ガイド筒は上下間に一対の螺旋孔を有し、該一対の螺旋孔はガイド筒の円周上に於いて対向していて同形状を成していることを特徴とする請求項２記載の繰出容器開閉装置。
【請求項６】
外筒二の中央側面に調整体を設けるための刳抜き穴を有し、調整体は刳抜き穴の上下に亘る左右間に受軸或は受板を備え該受軸或は受板の外周面を上下周方に巻付く輪ベルト状のアジャスターで構成され該アジャスターの内周面は滑らかで該受軸或は受板の外周面に摺動しアジャスターの表面ははす歯状の駆動歯を有し上下回動自在な柔軟且つ摺動摩擦抵抗が小さいことを特徴とする請求項５記載の繰出容器開閉装置。
【請求項７】
シャッターが一対の同形状を成す分割球体で一対の双方が対向していて、該シャッターは分割球の分断面の交線が中空球の直径に等しく前記交線の両端である前記分割球の両端位置には交線に垂直で交線を中心とする球面を有した円盤状の端部を設けていてそれぞれの端部が分割球と繋がる分割球体で前記端部の径は分割球の径より小さく、前記分割球体の一方の端部の外径周面側にピニオン部を設け該端部の中心位置には分割球の径方向に嵌合穴を設けていて、分割球体の他の一方の端部には該端部の中心位置に前記分割球の径方向に支軸を設け該支軸を有する端部を分割球の球心方向に撓ませたシャッター形状で、シャッター双方の支軸が双方の嵌合穴に嵌り更に双方の支軸が嵌合体一或は単筒体の双方の支軸穴に嵌合してシャッターは回動自在でシャッターの球面部は常に請求項３嵌合体一或は請求項５単筒体の開口部の内側摺面に摺動し、シャッターの前記分断面の一方面の双方が閉合する閉合面を有することを特徴とする請求項３又は請求項５のいずれか一つに記載の繰出容器開閉装置。
【請求項８】
戻しバネが一対の同形状の渦巻き形状で、請求項７のシャッターの嵌合穴を戻しバネの中心として双方の戻しバネの一端が双方のシャッター面に嵌合係止され双方の戻しバネの他の一端が嵌合体一内側面或は外筒二内側面の双方支軸穴に接近した位置に嵌合係止され双方のシャッターは支軸を支点として戻しバネに弾発付勢されて上方に回動してシャッター前面の閉合面が互いに閉合し、又シャッターの外周面が開口部内側面に摺動して双方のシャッターが嵌合体一或は外筒二の開口部を開閉することを特徴とする請求項７記載の繰出容器開閉装置。
【請求項９】
スライド体一は嵌合体二のガイド筒の内側に円筒状のホルダーが挿入され外側には円筒状のスリーブが挿入され前記ホルダーと前記スリーブは同心円筒で、ガイド筒の軸心に直交する直線上でホルダーの外周面とスリーブの内周面を連結するスライド軸があり該スライド軸はガイド筒の螺旋孔を貫通していて前記スライド軸の外延長上のスリーブ外周面の双方に突出したスライドピンを有していて該スライドピンは嵌合体一のガイド溝に嵌り該嵌合体一及び嵌合体二の相対回転によりスライド体一が上下移動してホルダーに嵌合保持する口紅類等の被使用物が繰出し繰戻しされることを特徴とする請求項８記載の繰出容器開閉装置。
【請求項１０】
スライド体二は単筒体のガイド筒の内側に円筒状のホルダーが挿入され外側には円筒状のスリーブが挿入され前記ホルダーと前記スリーブは同心円筒で、ガイド筒の軸心に直交する直線上でホルダーの外周面とスリーブの内周面を連結するスライド軸があって、該スライド軸はガイド筒の螺旋孔を貫通していて、スリーブの外周面にはすば歯状の受動歯を設けていて該受動歯は調整体のアジャスターの駆動歯と噛合っていてアジャスターの上下回動によりスライド体二は上下移動してホルダーに嵌合保持する口紅類等の被使用物が繰出し繰戻しされることを特徴とする請求項８記載の繰出容器開閉装置。
【請求項１１】
ロッドが一対の対向する上下に長い角棒状で該ロッドの上部側方にラック部を設け嵌合体一或は外筒二の嵌合溝に該ロッドの上半分が嵌り該ラック部とシャッターのピニオン部が噛合っていて戻しバネの弾発によりロッドは下方に付勢され前記スライド体一或はのスライド体二の上昇によりスリーブ上端がロッド下端に当接してロッドは上昇し戻しバネの弾発に対抗してシャッターが開きロッド下端が嵌合溝の下端まで上昇するとロッド下端はスリーブ上端から外れてロッドは完全に嵌合溝に嵌りロッドの内側面はスリーブの外周面に接してロッド下端は嵌合溝の下端に付勢係止されてシャッターは開放状態を保持することを特徴とする請求項９又は請求項１０のいずれか一つに記載の繰出容器開閉装置。
【手続補正３】
【補正対象書類名】図面
【補正対象項目名】図１
【補正方法】変更
【補正の内容】
【図１】
2012228496.tif 000009
【手続補正４】
【補正対象書類名】図面
【補正対象項目名】図４
【補正方法】変更
【補正の内容】
【図４】
2012228496.tif 000010
【手続補正書】
【提出日】平成24年1月27日(2012.1.27)
【手続補正１】
【補正対象書類名】明細書
【補正対象項目名】００２３
【補正方法】変更
【補正の内容】
【００２３】
シャッター５，６は分断面を有する分割球体で同形状を成し双方が対向していて、シャッター５，６の双方の一端である端部一５ｆ，６ｆの円弧周の周側面にピニオン部５ａ，６ａが設けてあり端部一５ｆ，６ｆの双方円弧の中心に嵌合穴５ｅ，６ｅがある、シャッター５，６の双方の他の一端である端部二５ｇ，６ｇの中心位置には支軸５ｂ，６ｂを設けていて支軸５ｂ，６ｂは双方の嵌合穴５ｅ，６ｅに嵌り更に双方の支軸５ｂ，６ｂは嵌合体一１の双方の支軸穴１ｈ，１ｉに嵌合してシャッター５，６は回動自在でシャッター５，６の球面部は常に開口部１ａの内側摺面１５，１６を摺動し、シャッター５，６の前記分断面の一端面双方が閉合する閉合面５ｃ，６ｃを有している。
【手続補正２】
【補正対象書類名】明細書
【補正対象項目名】００３２
【補正方法】変更
【補正の内容】
【００３２】
シャッター５，６は分断面を有する分割球体で同形状を成し双方が対向していて、シャッター５，６の双方の一端である端部一５ｆ，６ｆの円弧周の周側面にピニオン部５ａ，６ａが設けてあり端部一５ｆ，６ｆの双方円弧の中心に嵌合穴５ｅ，６ｅがある、シャッター５，６の双方の他の一端である端部二５ｇ，６ｇの中心位置には支軸５ｂ，６ｂを設けていて支軸５ｂ，６ｂは双方の嵌合穴５ｅ，６ｅに嵌り更に双方の支軸５ｂ，６ｂは嵌合体一１の双方の支軸穴１ｈ，１ｉに嵌合してシャッター５，６は回動自在でシャッター５，６の球面部は常に開口部１ａの内側摺面１５，１６を摺動し、シャッター５，６の前記分断面の一端面双方が閉合する閉合面５ｃ，６ｃを有している。
【手続補正３】
【補正対象書類名】特許請求の範囲
【補正対象項目名】全文
【補正方法】変更
【補正の内容】
【特許請求の範囲】
【請求項１】
筒体の外周面が上部と下部に分かれ、それぞれを摘み代として相対回転させることで口紅類等の被使用物が前記筒体の先端開口より出没及び繰出し繰戻し自在に構成される繰出容器開閉装置において、筒体の上部を嵌合体一、筒体の下部を嵌合体二とし、嵌合体一及び嵌合体二のそれぞれは上下方向に嵌合保持し周方向において互いに逆方向に回転自在で、筒体内部には回転に連動して上下移動するスライド体一を設け該スライド体一は口紅類等を嵌合保持し、スライド体一の上方にロッドを設け嵌合体一の先端に開口部が有り該開口部の直下には回動自在なシャッターを設け該シャッターと前記ロッドが連動し該シャッターは戻しバネにより弾発付勢され通常は先端開口部を閉塞していて、スライド体一が上昇するとロッド下端とスライド体一の上端が当接し戻しバネの弾発に対抗してシャッターが開き口紅類の突出繰出し調整できることを特徴とする繰出容器開閉装置。
【請求項２】
筒体の外周面は単筒体で該単筒体側部に調整体を設け該調整体のアジャスターを操作することで口紅類等の被使用物が前記単筒体の先端開口より出没及び繰出し繰戻し自在に構成される繰出容器開閉装置において、アジャスターは上下方向に回動自在で該アジャスターに連動して単筒体内を上下移動するスライド体二を設け該スライド体二は口紅類等を嵌合保持し、スライド体二の上方にロッドを設け単筒体の先端に開口部が有り該開口部の直下には回動自在なシャッターを設け該シャッターと前記ロッドが連動し該シャッターは戻しバネにより弾発付勢され通常は先端開口部を閉塞していて、スライド体二が上昇するとロッド下端とスライド体二の上端が当接し戻しバネの弾発に対抗してシャッターが開き口紅類の突出繰出し調整できることを特徴とする繰出容器開閉装置。
【請求項３】
嵌合体一の外周側面が摘み代で該嵌合体一の下端に嵌合部一を有し、嵌合体一の内側には前記スライド体一を上下移動するため一対の対向した切欠状のガイド溝が上下間に設けられ、又嵌合体一の内側面にはロッドを保持するための一対の対向した切欠状の嵌合溝が上下間に設けられ、嵌合体一の開口部の内側面は球面形状を成し、軸心に直交する直線と交わる嵌合体一の上部側面にはシャッターの回転を支持する一対の対向した支軸穴を設けていることを特徴とする請求項１記載の繰出容器開閉装置。
【請求項４】
嵌合体二が外筒一と該外筒一の内側にガイド筒を設けた同心円筒の二重筒で各筒の下方は平坦な底部で繋がっていて外筒一の長さはガイド筒の長さに対し３分の１程で上部内側にフランジ状の嵌合部二があり該嵌合部二は嵌合部一と嵌合し、外筒一の外周は摘み代になっていて、前記ガイド筒は上下間に一対の螺旋孔を有し、一対の該螺旋孔はガイド筒の円周上に於いて対向していて同形状を成していることを特徴とする請求項３記載の繰出容器開閉装置。
【請求項５】
単筒体が外筒二と該外筒二の内側にガイド筒を設けた同心円筒の二重筒で各筒の下方は平坦な底部で繋がっていて、外筒二の内側にはロッドを保持するための一対の対向した切欠状の嵌合溝が上下間に設けられ、外筒二の開口部の内側面は球面形部を有し、軸心に直交する直線と交わる外筒二の上部側面にはシャッターの回転を支持する一対の対向した支軸穴を設けていて、前記ガイド筒は上下間に一対の螺旋孔を有し、該一対の螺旋孔はガイド筒の円周上に於いて対向していて同形状を成していることを特徴とする請求項２記載の繰出容器開閉装置。
【請求項６】
外筒二の中央側面に調整体を設けるための刳抜き穴を有し、調整体は刳抜き穴の上下に亘る左右間に受軸或は受板を備え該受軸或は受板の外周面を上下周方に巻付く輪ベルト状のアジャスターで構成され該アジャスターの内周面は滑らかで該受軸或は受板の外周面に摺動しアジャスターの表面ははす歯状の駆動歯を有し上下回動自在な柔軟且つ摺動摩擦抵抗が小さいことを特徴とする請求項５記載の繰出容器開閉装置。
【請求項７】
戻しバネが一対の同形状の渦巻き形状で、シャッターの嵌合穴を戻しバネの中心として双方の戻しバネの一端が双方のシャッター面に嵌合係止され双方の戻しバネの他の一端が嵌合体一内側面或は外筒二内側面の双方支軸穴に接近した位置に嵌合係止され双方のシャッターは支軸を支点として戻しバネに弾発付勢されて上方に回動してシャッター前面の閉合面が互いに閉合し、又シャッターの外周面が開口部内側面に摺動して双方のシャッターが嵌合体一或は外筒二の開口部を開閉することを特徴とする請求項３又は請求項５のいずれか一つに記載の繰出容器開閉装置。
【請求項８】
スライド体一は嵌合体二のガイド筒の内側に円筒状のホルダーが挿入され外側には円筒状のスリーブが挿入され前記ホルダーと前記スリーブは同心円筒で、ガイド筒の軸心に直交する直線上でホルダーの外周面とスリーブの内周面を連結するスライド軸があり該スライド軸はガイド筒の螺旋孔を貫通していて前記スライド軸の外延長上のスリーブ外周面の双方に突出したスライドピンを有していて該スライドピンは嵌合体一のガイド溝に嵌り該嵌合体一及び嵌合体二の相対回転によりスライド体一が上下移動してホルダーに嵌合保持する口紅類等の被使用物が繰出し繰戻しされることを特徴とする請求項７記載の繰出容器開閉装置。
【請求項９】
スライド体二は単筒体のガイド筒の内側に円筒状のホルダーが挿入され外側には円筒状のスリーブが挿入され前記ホルダーと前記スリーブは同心円筒で、ガイド筒の軸心に直交する直線上でホルダーの外周面とスリーブの内周面を連結するスライド軸があって、該スライド軸はガイド筒の螺旋孔を貫通していて、スリーブの外周面にはすば歯状の受動歯を設けていて該受動歯は調整体のアジャスターの駆動歯と噛合っていてアジャスターの上下回動によりスライド体二は上下移動してホルダーに嵌合保持する口紅類等の被使用物が繰出し繰戻しされることを特徴とする請求項７記載の繰出容器開閉装置。
【請求項１０】
ロッドが一対の対向する上下に長い角棒状で該ロッドの上部側方にラック部を設け嵌合体一或は外筒二の嵌合溝に該ロッドの上半分が嵌り該ラック部とシャッターのピニオン部が噛合っていて戻しバネの弾発によりロッドは下方に付勢され前記スライド体一或はスライド体二の上昇によりスリーブ上端がロッド下端に当接してロッドは上昇し戻しバネの弾発に対抗してシャッターが開きロッド下端が嵌合溝の下端まで上昇するとロッド下端はスリーブ上端から外れてロッドは完全に嵌合溝に嵌りロッドの内側面はスリーブの外周面に接してロッド下端は嵌合溝の下端に付勢係止されてシャッターは開放状態を保持することを特徴とする請求項８又は請求項９のいずれか一つに記載の繰出容器開閉装置。